(57)【要約】【課題】スピーカーからの振動に起因して液晶表示装置の内部で発生するビビリを充分防止できるスピーカー取付構造を提供する。【解決手段】液晶表示装置内部のスピーカーを取付けるべき所定箇所２ｂにスピーカーマウント板６の中間支持部６ａを固定して、スピーカーマウント板６の中間支持部６ａから両端側の板状部分６ｂ，６ｃを浮かせると共に、スピーカー４ａ，４ｂが内蔵されたスピーカーボックス５をスピーカーマウント板６から浮かせた状態でスピーカーボックス５の両端部５ａ，５ａをスピーカーマウント板６の両端部６ｅ，６ｅに固定したスピーカー取付構造とする。スピーカー及びスピーカーボックスが振動すると、その振動を相殺するようにスピーカーマウント板の両端側の板状部分が弾性的に撓んで振動し、スピーカー及びスピーカーボックスからの振動を吸収するため、液晶表示装置の内部各所のビビリを防止できる。【選択図】図３
2011114589.tif 000002
【特許請求の範囲】
【請求項１】
液晶表示装置内部のスピーカーを取付けるべき所定箇所にスピーカーマウント板の中間支持部を固定して、スピーカーマウント板の中間支持部から両端側の板状部分を浮かせると共に、スピーカーが内蔵されたスピーカーボックスをスピーカーマウント板から浮かせた状態でスピーカーボックスの両端部をスピーカーマウント板の両端部に固定したことを特徴とするスピーカー取付構造。
【請求項２】
前記スピーカーボックスの両端部を、振動吸収材を介して、前記スピーカーマウント板の両端部に固定したことを特徴とする、請求項１に記載のスピーカー取付構造。
【請求項３】
前記スピーカーボックスが、その一端側の内部に低音用スピーカーを内蔵し、他端側の内部に高音用スピーカーを内蔵したものであり、前記スピーカーマウント板は、その中間支持部から一端までの寸法が他端までの寸法よりも大きいものであり、このスピーカーマウント板の一端部と他端部に上記スピーカーボックスの一端部と他端部をそれぞれ固定したことを特徴とする、請求項１又は請求項２に記載のスピーカー取付構造。
【請求項４】
液晶表示装置内部のスピーカーを取付けるべき左右の所定箇所に、中間支持部から一端までの寸法が他端までの寸法よりも大きい前記スピーカーマウント板を、その一端が内側となり他端が外側となるようにそれぞれ固定し、これらのスピーカーマウント板の一端部と他端部に、一端側の内部に低音用スピーカーを内蔵し他端側の内部に高音用スピーカーを内蔵した前記スピーカーボックスの一端部と他端部をそれぞれ固定して、これらのスピーカーボックスの低音用スピーカーが内側となり高音用スピーカーが外側となるように取付けたことを特徴とする、請求項３に記載のスピーカー取付構造。
【発明の詳細な説明】
【技術分野】
【０００１】
本発明は、液晶テレビ、液晶ディスプレイなどの液晶表示装置の内部にスピーカーを取付ける構造に関し、更に詳しくは、スピーカーの振動により装置内部で発生するビビリを防止できるように工夫したスピーカー取付構造に関する。
【背景技術】
【０００２】
スピーカーを内蔵したスピーカーボックスを液晶テレビなどの内部に取付ける場合、スピーカーボックスの両端部に振動吸収用のゴムクッションを介在させて、液晶テレビ内部のスピーカーを取付けるべき所定箇所（例えば液晶モジュールのリアフレームなど）にネジ止めする方法がよく採用されている。
【０００３】
また、本出願人は、スピーカーホルダーを、スピーカーを保持するホルダー本体とその一端の取付部とに分け、一端の取付部をテレビのフロントキャビネット内に形成された突出部にネジ止めすることにより、ホルダー本体とフロントキャビネットの周囲壁との間に隙間をあけて、スピーカーをフロントキャビネットの周囲壁に対向させて取付けるようにしたスピーカー取付構造を出願し、既に登録を受けている（特許文献１）。
【０００４】
更に、スピーカユニットに突設されたブラケット金具を介してスピーカユニットを表示装置本体にネジで取り付けた構造であって、ネジ頭部とブラケット金具との間に挟着されたゴム製の防振リングの圧縮量を視覚的に検知できるようにしたスピーカユニット取付構造も提案されている（特許文献２）。
【先行技術文献】
【特許文献】
【０００５】
【特許文献１】実用新案登録第３０６３２９７号公報
【特許文献２】特開２００８−６６９０９号公報
【発明の概要】
【発明が解決しようとする課題】
【０００６】
しかしながら、前記のようにスピーカーボックスの両端部に振動吸収用のゴムクッションを介在させて、液晶モジュールのリアフレームなどの所定箇所にネジ止めする場合は、ゴムクッションのみでスピーカー及びスピーカーボックスからの振動を吸収することが難しく、特に、低音を出力させるときの振動を吸収できないため、液晶テレビの内部でビビリが発生するという問題があった。このようなスピーカー及びスピーカーボックスからの振動に起因するビビリの発生は、昨今の液晶テレビが薄型になり、スピーカーボックスと他のパーツとの間隔を大きく開けられないことから益々激しくなっており、その防止対策が強く希求されている。
【０００７】
一方、前記特許文献１のスピーカー取付構造は、スピーカーの振動によるビビリの発生を抑制し、中高音域の音質を向上させることが可能なものであるが、ホルダー本体とフロントキャビネットの周囲壁との間に隙間をあけて、スピーカーをフロントキャビネットの周囲壁に対向させて取付けるものであるため、昨今の液晶テレビのようにフロントキャビネットの狭額縁化、テレビの薄型化等が要求される場合には、採用することが困難である。
【０００８】
また、前記特許文献２のスピーカユニット取付構造は、ゴム製の防振リングの圧縮量を視覚的に検知して、防振リングの圧縮量を適正に調節できるものであるが、スピーカユニットのブラケット金具と固定用ネジのネジ頭部との間に挟着した上記防振リングのみで振動を吸収してビビリを抑制するものであるから、やはり振動の吸収は不十分であり、特に低音を出力した場合のビビリを防止することは困難であった。
【０００９】
本発明は上記事情の下になされたもので、その解決しようとする課題は、スピーカーからの振動に起因して液晶表示装置の内部で発生するビビリを充分防止できるスピーカー取付構造を提供することにある。
【課題を解決するための手段】
【００１０】
上記課題を解決するため、本発明の請求項１に係るスピーカー取付構造は、液晶表示装置内部のスピーカーを取付けるべき所定箇所にスピーカーマウント板の中間支持部を固定して、スピーカーマウント板の中間支持部から両端側の板状部分を浮かせると共に、スピーカーが内蔵されたスピーカーボックスをスピーカーマウント板から浮かせた状態でスピーカーボックスの両端部をスピーカーマウント板の両端部に固定したことを特徴とするものである。
【００１１】
そして、本発明の請求項２に係るスピーカー取付構造は、請求項１のスピーカー取付構造において、前記スピーカーボックスの両端部を、振動吸収材を介して、前記スピーカーマウント板の両端部に固定したことを特徴とするものである。
【００１２】
また、本発明の請求項３に係るスピーカー取付構造は、請求項１又は２のスピーカー取付構造において、前記スピーカーボックスが、その一端側の内部に低音用スピーカーを内蔵し、他端側の内部に高音用スピーカーを内蔵したものであり、前記スピーカーマウント板は、その中間支持部から一端までの寸法が他端までの寸法よりも大きいものであり、このスピーカーマウント板の一端部と他端部に上記スピーカーボックスの一端部と他端部をそれぞれ固定したことを特徴とするものである。
【００１３】
更に、本発明の請求項４に係るスピーカー取付構造は、請求項３のスピーカー取付構造であって、液晶表示装置内部のスピーカーを取付けるべき左右の所定箇所に、中間支持部から一端までの寸法が他端までの寸法よりも大きい前記スピーカーマウント板を、その一端が内側となり他端が外側となるようにそれぞれ固定し、これらのスピーカーマウント板の一端部と他端部に、一端側の内部に低音用スピーカーを内蔵し他端側の内部に高音用スピーカーを内蔵した前記スピーカーボックスの一端部と他端部をそれぞれ固定して、これらのスピーカーボックスの低音用スピーカーが内側となり高音用スピーカーが外側となるように取付けたことを特徴とするものである。
【発明の効果】
【００１４】
本発明の請求項１に係るスピーカー取付構造では、液晶表示装置内部のスピーカーを取付けるべき所定箇所にスピーカーマウント板の中間支持部を固定して、スピーカーマウント板の中間支持部から両端側の板状部分を浮かせると共に、スピーカーが内蔵されたスピーカーボックスをスピーカーマウント板から浮かせた状態でスピーカーボックスの両端部をスピーカーマウント板の両端部に固定しているため、スピーカーマウント板の中間支持部から両端側の板状部分が、何処にも当たることなく弾性的に撓み自在となっている。従って、スピーカー及びスピーカーボックスが振動すると、その振動を相殺するようにスピーカーマウント板の中間支持部から両端側の板状部分が弾性的に撓んで振動し、スピーカー及びスピーカーボックスからの振動を吸収するため、液晶表示装置の内部各所のビビリを防止することができる。
【００１５】
そして、本発明の請求項２に係るスピーカー取付構造のように、スピーカーボックスの両端部が振動吸収材を介してスピーカーマウント板の両端部に固定されていると、スピーカー及びスピーカーボックスからの振動が、この振動吸収材とスピーカーマウント板の両端側の板状部分によって二重に吸収されるため、ビビリ防止効果が更に顕著になる。
【００１６】
また、本発明の請求項３に係るスピーカー取付構造のように、スピーカーマウント板の中間支持部から一端までの寸法が他端までの寸法よりも大きいと、スピーカーマウント板の中間支持部から一端側の板状部分が他端側の板状部分よりも撓み量が大きくなる。そして、一端側の内部に低音用スピーカーが内蔵され、他端側の内部に高音用スピーカーが内蔵されたスピーカーボックスの一端部と他端部を、上記スピーカーマウント板の一端部と他端部に固定すると、大きく振動する低音用スピーカーが、スピーカーマウント板の撓み量の大きい一端側の板状部分の上方に位置し、小さく振動する高音用スピーカーが、スピーカーマウント板の撓み量の小さい他端側の板状部分の上方に位置することになるので、低音用スピーカーからの大きい振動をスピーカーマウント板の撓み量の大きい一端側の板状部分で充分吸収し、高音用スピーカーからの小さい振動をスピーカーマウント板の撓み量の小さい他端側の板状部分で充分吸収して、液晶表示装置の内部各所のビビリをほぼ確実に防止できるようになる。
【００１７】
更に、本発明の請求項４に係るスピーカー取付構造では、上記請求項３のスピーカー取付構造による優れたビビリ防止効果に加えて、液晶表示装置内部の左右の所定箇所に、スピーカーマウント板を介して、二つのスピーカーボックスを、その低音用スピーカーが内側となり高音用スピーカーが外側となるように取付けているため、これとは逆に低音用スピーカーが外側となり高音用スピーカーが内側となるように二つのスピーカーボックスを取付ける場合に比べて、高音の音質が良くなる利点がある。
【図面の簡単な説明】
【００１８】
【図１】本発明の一実施形態に係るスピーカー取付構造を採用してスピーカーを内部の液晶モジュールの背面に取付けた液晶テレビを示す概略断面図である。
【図２】リアキャビネットを一部切り欠いて示す同液晶テレビの背面図である。
【図３】本発明の一実施形態に係るスピーカー取付構造の拡大説明図である。
【図４】同スピーカー取付構造の左側面図である。
【発明を実施するための形態】
【００１９】
図１において、１ａは液晶テレビのフロントキャビネット、１ｂはリアキャビネットであり、これらのキャビネット１ａ，１ｂの内部には、液晶モジュール２が組み込まれている。この液晶モジュール２は、板金製のリアフレーム２ａの内部に光反射シートと冷陰極管などの光源を配置し、その上に光拡散シートと液晶パネルを重ねて、周縁部をベゼルで取り囲んだ概略構造を有するものであり、光反射シートや光拡散シートなどの振動しやすいシート類が内装されているため、スピーカーボックス５内部のスピーカーからの振動によってビビリが発生しやすいものである。この液晶モジュール２のリアフレーム２ａにはプリント配線基板３が取付けられており、このプリント配線基板３にはチューナー（不図示）や各種の電子部品（不図示）が実装されている。
【００２０】
図１，図２に示すように、液晶モジュール２のリアフレーム２ａの下端部における左右二箇所には、本発明のスピーカー取付構造を採用して、スピーカー４ａ，４ｂを内蔵した二つのスピーカーボックス５，５が取付られている。スピーカー４ａは低音用スピーカーであって、図３に示すようにスピーカーボックス５の一端側（左端側）の内部に収容されており、この低音用スピーカー４ａはスピーカーボックス５の背面側（図３では上側）を向いている。これに対し、スピーカー４ｂは高音用スピーカーであって、図３に示すようにスピーカーボックス５の他端側（右端側）の内部に収容されており、この高音用スピーカー４ｂはスピーカーボックスの下面側（図３では紙面裏側）を向いている。
【００２１】
リアフレーム２ａの下端部の左右二箇所には、図３，図４に示すように隆起した絞り部２ｂが形成されており、この絞り部２ｂの天面にはネジ穴２ｃがバーリング加工で形成されている。そして、合成樹脂製のスピーカーマウント板６の中間支持部６ａが絞り部２ｂに重ねられてネジ７で固定されており、そのため、スピーカーマウント板６の中間支持部６ａから両端側の板状部分６ｂ，６ｃがリアフレーム２ａから浮き上がっている。このスピーカーマウント板６の中間支持部６ａは、リアフレーム２ａ側に少し突き出して厚肉化されており、ネジ７の頭部がスピーカーボックス５側へ大きく突出しないように座繰部６ｄが形成されている。
【００２２】
図３に示すように、スピーカーマウント板６の中間支持部６ａはスピーカーマウント板６の他端側（右端側）に偏って形成されており、そのため、スピーカーマウント板６の中間支持部６ａから一端（左端）までの寸法、即ち、中間支持部６ａから一端側の板状部分６ｂの長さ寸法は、スピーカーマウント板６の中間支持部６ａから他端（右端）までの寸法、即ち、中間支持部６ａから他端側の板状部分６ｃの長さ寸法よりも大きくなっている。従って、中間支持部６ａから一端側の板状部分６ｂは他端側の板状部分６ｃよりも弾性的に大きく撓み、大きい振幅で振動できるようになっている。
【００２３】
スピーカーマウント板６の一端部と他端部には、図３，図４に示すように、ボス部６ｅ，６ｅがスピーカーボックス５側に向かってそれぞれ突設されており、これらのボス部６ｅ，６ｅに、スピーカーボックス５の一端部と他端部の開環状フランジ５ａ，５ａが、振動吸収材のゴムクッション８，８を介して、ネジ７０，７０で固定されている。即ち、スピーカーボックス５の一端部と他端部には、スピーカーマウント板６のボス部６ｅ，６ｅを遊挿する凹入部５ｂ，５ｂが設けられ、それぞれの凹入部５ｂ，５ｂの内面に形成された上記開環状フランジ５ａ，５ａに上記ゴムクッション８，８が嵌着されてボス部６ｅ，６ｅに載置され、ゴムクッション８，８のネジ挿通孔からネジ７０，７０がボス部６ｅ，６ｅにねじ込まれることによって、スピーカーボックス５の一端部と他端部がスピーカーマウント板６の一端部と他端部のボス部６ｅ，６ｅに固定されている。従って、スピーカーボックス５はスピーカーマウント板６から浮いた状態で取付けられ、スピーカーボックス５の一端側に内蔵された低音用スピーカー４ａはスピーカーマウント板６の撓み量の大きい一端側の板状部分６ｂの上方に位置し、スピーカーボックス５の他端側に内蔵された高音用スピーカー４ｂはスピーカーマウント板６の撓み量の小さい他端側の板状部分６ｃの上方に位置している。
【００２４】
この実施形態では、図２に示すように、液晶モジュール２のリアフレーム２ａの左右二箇所に、上記の取付構造を採用して、二つのスピーカーボックス５，５を、その低音用スピーカー４ａ，４ａが内側となり、高音用スピーカー４ｂ，４ｂが外側となるように取付けている。即ち、リアフレーム２ａ下端部の左右二箇所に、中間支持部から一端までの寸法が他端までの寸法よりも大きい二つのスピーカーマウント板（図２には表れていない）を、その一端が内側となり他端が外側となるようにそれぞれ固定し、これらのスピーカーマウント板の一端部と他端部に、一端側の内部に低音用スピーカー４ａを内蔵し他端側の内部に高音用スピーカー４ｂを内蔵した二つのスピーカーボックス５，５の一端部と他端部をそれぞれ固定して、これらのスピーカーボックス５，５の低音用スピーカー４ａ，４ａが内側となり高音用スピーカー４ｂ，４ｂが外側となるように取付けている。
【００２５】
以上のような構成のスピーカー取付構造では、液晶テレビ内部のスピーカーを取付けるべき液晶モジュール２のリアフレーム２ａの絞り部２ｂにスピーカーマウント板６の中間支持部６ａをネジ７で固定して、スピーカーマウント板６の中間支持部６ａから両端側の板状部分６ｂ，６ｃを浮かせると共に、スピーカー４ａ，４ｂが内蔵されたスピーカーボックス５をスピーカーマウント板６から浮かせた状態で、スピーカーボックス５の両端部の開環状フランジ５ａ，５ａをゴムクッション８，８を介してスピーカーマウント板６の両端部のボス部６ｅ，６ｅに固定しているため、スピーカーマウント板６の中間支持部６ａから両端側の板状部分６ｂ，６ｃが、リアフレーム２ａにもスピーカーボックス５にも当たることなく弾性的に撓み自在となっている。従って、スピーカー４ａ，４ｂ及びスピーカーボックス５が振動すると、その振動を相殺するようにスピーカーマウント板６の中間支持部６ａから両端側の板状部分６ｂ，６ｃが弾性的に撓んで振動し、スピーカー４ａ，４ｂ及びスピーカーボックス５からの振動を吸収するため、液晶テレビの内部各所のビビリを防止することができる。
【００２６】
特に、上記実施形態のスピーカー取付構造では、大きく振動する低音用スピーカー４ａが、スピーカーマウント板６の撓み量の大きい一端側の板状部分６ｂの上方に位置し、小さく振動する高音用スピーカー４ｂが、スピーカーマウント板６の撓み量の小さい他端側の板状部分６ｃの上方に位置しているため、低音用スピーカー４ａからの大きい振動をスピーカーマウント板６の撓み量の大きい一端側の板状部分６ｂで充分吸収し、高音用スピーカー４ｂからの小さい振動をスピーカーマウント板６の撓み量の小さい他端側の板状部分６ｃで充分吸収して、液晶テレビの内部各所のビビリをほぼ確実に防止することができる。しかも、スピーカーボックス５の両端部の開環状フランジ５ａ，５ａがゴムクッション８，８を介してスピーカーマウント板６の両端部のボス部６ｅ，６ｅに固定されているため、スピーカー４ａ，４ｂ及びスピーカーボックス５からの振動が、このゴムクッション８，８とスピーカーマウント板６の両端側の板状部分６ｂ，６ｃによって二重に吸収されるため、更に顕著なビビリ防止効果を得ることができる。
【００２７】
また、上記実施形態のように、液晶モジュール２のリアフレーム２ａの左右二箇所に、スピーカーマウント板６を介して、二つのスピーカーボックス５，５を、その低音用スピーカー４ａが内側となり高音用スピーカー４ｂが外側となるように取付けると、これとは逆に低音用スピーカー４ａが外側となり高音用スピーカー４ｂが内側となるように二つのスピーカーボックス５，５を取付ける場合に比べて、高音の音質が良くなるという効果も得ることができる。
【００２８】
以上、液晶テレビ内部の液晶モジュール２のリアフレーム２ａに、スピーカー４ａ，４ｂを内蔵したスピーカーボックス５を取付ける場合例示して、本発明のスピーカー取付構造を説明したが、本発明のスピーカー取付構造は、パソコンの液晶ディスプレーやその他の液晶表示装置の内部にスピーカーを取付ける場合にも勿論適用されるものであり、また、スピーカーを取付けるべき所定箇所も、液晶モジュール２のリアフレーム２ａに限定されることがなく、例えば、フロントキャビネット１ａとリアキャビネット１ｂの間に挟着されるフレア（不図示）など、スピーカーの取付けに適した箇所であればどこでも良いものである。
【符号の説明】
【００２９】
２    液晶モジュール
２ａ  液晶モジュールのリアフレーム
２ｂ  リアフレームの絞り部（スピーカーを取付けるべき所定箇所）
４ａ  低音用のスピーカー
４ｂ  高音用のスピーカー
５    スピーカーボックス
５ａ  スピーカーボックスの両端部の開環状フランジ
６    スピーカーマウント板
６ａ  スピーカーマウント板の中間支持部
６ｂ  スピーカーマウント板の中間支持部から一端側の板状部分
６ｃ  スピーカーマウント板の中間支持部から他端側の板状部分
６ｅ  スピーカーマウント板の両端部のボス部
７，７０  ネジ
８    ゴムクッション（振動吸収材）
【図１】
2011114589.tif 000003
【図２】
2011114589.tif 000004
【図３】
2011114589.tif 000005
【図４】
2011114589.tif 000006